(57)【要約】    【課題】簡単な構造で容易且つ安価に製作できると共に取り扱いが容易であり、しかも両手で把持しながら両手の手指で入力操作を行えるようにする。    【解決手段】入力ディバイス本体２の裏側の手指操作部群４，５の手指操作部４ａ，５ａを操作して入力ディバイス本体２に装着された携帯端末１に入力する。携帯端末１が表向きに着脱自在に装着され且つ携帯端末１を裏側から受ける装着部３を入力ディバイス本体２に設け、入力ディバイス本体２の裏側の左右両側に、入力ディバイス本体２を左右両手で挟んだ状態で左右の手指により操作可能な複数の手指操作部４ａ，５ａを有する手指操作部群４，５を配置する。入力ディバイス本体２は携帯端末１が表側から着脱可能な装着部３を有する主体部１０と、主体部１０の左右両側に設けられ且つ手指操作部群４，５を有する操作ボード部１２，１３とを備る。【選択図】図４
2013235368.tif 000002
【特許請求の範囲】
【請求項１】
入力ディバイス本体の複数の操作部を操作して、前記入力ディバイス本体に装着された携帯端末に情報を入力するようにした携帯型入力ディバイスにおいて、前記携帯端末が表向きに着脱自在に装着され且つ該携帯端末を裏側から受ける装着部を前記入力ディバイス本体に設け、該入力ディバイス本体の裏側の左右両側に、該入力ディバイス本体を左右両手で挟んだ状態で左右の手指により操作可能な複数の手指操作部を有する手指操作部群を配置したことを特徴とする携帯型入力ディバイス。
【請求項２】
前記入力ディバイス本体は前記携帯端末が表側に着脱可能な前記装着部を有する主体部と、該主体部の左右両側に設けられ且つ前記手指操作部群を有する操作ボード部とを備えたことを特徴とする請求項１に記載の携帯型入力ディバイス。
【請求項３】
前記主体部と前記操作ボード部は一体であることを特徴とする請求項２に記載の携帯型入力ディバイス。
【請求項４】
前記操作ボード部は前記主体部の裏側に収納可能であることを特徴とする請求項２に記載の携帯型入力ディバイス。
【請求項５】
前記入力ディバイス本体の表側の左右両側に、前記各手指操作部群の前記各手指操作部に対応して設けられ且つ前記手指操作部を操作したときにその操作箇所を表示する表示部を有する表示部群を設けたことを特徴とする請求項１〜４の何れかに記載の携帯型入力ディバイス。
【請求項６】
前記各手指操作部群は前記装着部の左右両側に配置され且つその一部が前記装着部の左右両側に重合することを特徴とする請求項１〜５の何れかに記載の携帯型入力ディバイス。
【発明の詳細な説明】
【技術分野】
【０００１】
本発明は、ＰＤＡ、携帯電話機等の携帯端末を装着して情報を入力できるようにした携帯型入力ディバイスに関するものである。
【背景技術】
【０００２】
携帯端末を装着した状態で手で持って、その操作キーを操作しながら文字情報を入力できるようにした携帯型入力ディバイスが提案されている（特許文献１）。
【０００３】
この携帯型入力ディバイスは、コネクタを有するコネクタ支持部と、表側に操作キー群を有し且つコネクタ支持部の左右両側に左右方向に移動自在に設けられた左右一対のキーボード部と、左右方向の一端側のネジ操作により両キーボード部間の間隔をコネクタ支持部に沿って調整する間隔調整機構と、携帯端末に当接する各キーボード部を携帯端末に固定する固定機構とを備えている。
【先行技術文献】
【特許文献】
【０００４】
【特許文献１】特開２００２−４１２１４号公報
【発明の概要】
【発明が解決しようとする課題】
【０００５】
この携帯型入力ディバイスは、携帯端末を装着した状態で手で持ってキー操作により文字情報を入力できるため、入力ディバイスと携帯端末とを別々に持って操作するものに比較して入力時の利便性が向上する。
【０００６】
しかし、従来の携帯型入力ディバイスは、コネクタ支持部のコネクタに携帯端末を接続した後、間隔調整機構のネジを操作して各キーボード部を携帯端末側に移動させて、その各キーボード部を固定機構により携帯端末の側面に固定する必要がある。このため携帯端末の着脱時の取り扱いが非常に煩雑である上に、構造的に複雑で製作コストが高くなり、しかも取り扱いミス等により損傷を招き易いという問題がある。
【０００７】
また入力ディバイスを手で持った状態でキー操作により文字情報を入力できるが、その場合には片方の手で操作キーを操作することとなり、入力速度の点で問題がある。このため多くの文字情報を短時間で入力する必要がある場合には、入力ディバイスを机、膝等の上に置いて入力せざるを得ないという欠点がある。
【０００８】
本発明は、このような従来の問題点に鑑み、簡単な構造で容易且つ安価に製作できると共に取り扱いが容易であり、しかも両手で把持しながら両手の手指で入力操作を行える携帯型入力ディバイスを提供することを目的とする。
【課題を解決するための手段】
【０００９】
本発明は、入力ディバイス本体の複数の操作部を操作して、前記入力ディバイス本体に装着された携帯端末に情報を入力するようにした携帯型入力ディバイスにおいて、前記携帯端末が表向きに着脱自在に装着され且つ該携帯端末を裏側から受ける装着部を前記入力ディバイス本体に設け、該入力ディバイス本体の裏側の左右両側に、該入力ディバイス本体を左右両手で挟んだ状態で左右の手指により操作可能な複数の手指操作部を有する手指操作部群を配置したものである。
【００１０】
前記入力ディバイス本体は前記携帯端末が表側に着脱可能な前記装着部を有する主体部と、該主体部の左右両側に設けられ且つ前記手指操作部群を有する操作ボード部とを備えてもよい。前記主体部と前記操作ボード部は一体であってもよい。前記操作ボード部は前記主体部の裏側に収納可能であってもよい。
【００１１】
前記入力ディバイス本体の表側の左右両側に、前記各手指操作部群の前記各手指操作部に対応して設けられ且つ前記手指操作部を操作したときにその操作箇所を表示する表示部を有する表示部群を設けてもよい。前記各手指操作部群は前記装着部の左右両側に配置され且つその一部が前記装着部の左右両側に重合することもある。
【発明の効果】
【００１２】
本発明では、入力ディバイス本体の操作部群の操作部を操作して前記入力ディバイス本体に装着された携帯端末に入力するようにした携帯型入力ディバイスにおいて、前記携帯端末が表向きに着脱自在に装着され且つ該携帯端末を裏側から受ける装着部を前記入力ディバイス本体に設け、該入力ディバイス本体の裏側の左右両側に、該入力ディバイス本体を左右両手で挟んだ状態で左右の手指により操作可能な複数の手指操作部を有する手指操作部群を配置しているので、簡単な構造で容易且つ安価に製作できると共に取り扱いが容易であり、しかも両手で把持しながら両手の手指で入力操作を行える利点がある。
【図面の簡単な説明】
【００１３】
【図１】本発明の第１の実施形態を示す携帯型入力ディバイスの斜視図である。
【図２】同平面図である。
【図３】同底面図である。
【図４】同一部破断正面図である。
【図５】同側面断面図である。
【図６】同使用状態の斜視図である。
【図７】本発明の第２の実施形態を示す正面断面図である。
【図８】本発明の第３の実施形態を示す側面断面図である。
【図９】本発明の第４の実施形態を示す平面図である。
【図１０】同正面図である。
【図１１】本発明の第５の実施形態を示す斜視図である。
【図１２】同平面図である。
【図１３】同正面断面図である。
【図１４】同一部破断側面図である。
【図１５】本発明の第６の実施形態を示す正面図である。
【図１６】本発明の第７の実施形態を示す正面断面図である。
【図１７】本発明の第８の実施形態を示す斜視図である。
【図１８】同正面図である。
【図１９】本発明の第９の実施形態を示す斜視図である。
【図２０】同正面断面図である。
【図２１】同側面断面図である。
【図２２】本発明の第１０の実施形態を示す平面図である。
【発明を実施するための形態】
【００１４】
以下、本発明の各実施形態を図面に基づいて詳述する。図１〜図６は本発明の第１の実施形態を例示する。この携帯型入力ディバイスは、ＰＤＡ、携帯電話機等の携帯端末１を装着して、その携帯端末１に文字情報等の各種情報を入力するためのものであって、図１〜図５に示すように、略偏平矩形状に形成された入力ディバイス本体２と、この入力ディバイス本体２の表側の左右方向の略中央部に配置され且つ携帯端末１が着脱自在に装着される装着部３と、入力ディバイス本体２の裏側の左右両側に配置された左右一対の手指操作部群４，５と、入力ディバイス本体２の表側で装着部３の左右両側に配置された左右一対の表示部群６，７及び左右一対の親指操作部群８，９とを備えている。
【００１５】
入力ディバイス本体２は、図６に示すように左右両側から掌で挟んで保持可能な大きさであって、装着部３を有する主体部１０と、主体部１０の左右両側に設けられ且つ表裏に各手指操作部群４，５、表示部群６，７を有する操作・表示ボード部１２，１３とを一体に備え、表ケース体１４と裏ケース体１５とを表裏方向に結合して中空状に構成されている。なお、表示部群６，７は省略することも可能であり、その場合には操作・表示ボード部１２，１３に代えて操作ボード部を設けることになる。
【００１６】
装着部３は携帯端末１を表側に向けた状態で表側又は上側から着脱自在に装着するように、携帯端末１の大きさ、形状に対応して入力ディバイス本体２の表側に凹入状に形成されている。この装着部３は携帯端末１を左右から挟む側壁１６と、携帯端末１を裏側から受ける底壁１８と、携帯端末１の下側の下壁１９とを有し、その表側及び上側が開放状となっている。また装着部３の底壁１８は入力ディバイス本体２の表側に沿って略平行に形成されており、この装着部３内の携帯端末１を入力ディバイス本体２の表面と略平行に受けている。
【００１７】
なお、装着部３の深さは携帯端末１の厚さよりも小であり、装着部３に装着したときに携帯端末１が入力ディバイス本体２の表側に突出しているが、携帯端末１の表面を入力ディバイス本体２の表側と略面一状にしてもよい。また底壁１８は装着部３内の携帯端末１の上側が高くなるように傾斜状に構成してもよい。
【００１８】
下壁１９には装着部３内に突出するコネクタ２０が設けられており、携帯端末１の着脱時にケース１側のコネクタ２１がそのコネクタ２０に着脱すると共に、装着部３内の携帯端末１を両コネクタ２０，２１の接続により保持してている。なお、装着部３内の携帯端末１は、側壁１６の弾性変形により携帯端末１に係脱自在に係合する係合突部を側壁１６に設けるか、装着部３内の携帯端末１を吸着する磁石を底壁１８に設ける等により、コネクタ２０，２１と協働して、又はコネクタ２０，２１とは別に装着部３内の携帯端末１を保持するように保持手段を設けてもよい。
【００１９】
左右の操作・表示ボード部１２，１３の裏側には凹部１２ａ，１３ａが形成され、その各凹部１２ａ，１３ａ内に裏側に突出しないように、タッチパネル等により構成された手指操作部群４，５が配置されている。手指操作部群４，５は入力ディバイス本体２の左右両端部側から中央側の装着部３の裏側に跨がる範囲に配置され、その左右方向の一部が装着部３の左右両側に対して表裏方向に重合している。なお、手指操作部群４，５を構成するタッチパネル等は、凹部１２ａ，１３ａ内で入力ディバイス本体２の内側、外側の何れに装着してもよい。
【００２０】
手指操作部群４，５は上下方向及び左右方向に所定の間隔を置いて配置された多数（複数個）の操作キー等の手指操作部４ａ，５ａを有する。この手指操作部４ａ，５ａは、左右の掌を入力ディバイス本体２の左右両側に当てて保持した状態で、人指し指から小指までの４本の手指を動かして操作可能な範囲に配置されている。
【００２１】
手指操作部群４，５の手指操作部４ａ，５ａは、例えば図３に示すように入力ディバイス本体２の左右方向の中央側の上下方向の５個がテンキーであり、それ以外がＱＷＥＲＴＹ配列のキーとなっている。手指操作部４ａ，５ａはタッチパネル等のパネル面から球面状、その他の形状に突出状に形成され、その突出部分にその手指操作部４ａ，５ａに割り付けられた入力情報の文字が印刷等により付されている。なお、手指操作部群４，５はタッチパネル以外のものにより構成してもよい。
【００２２】
操作・表示ボード部１２，１３の表側には液晶式、有機ＥＬ等により構成された表示部群６，７と、タッチパネル等により構成された親指操作部群８，９とが上下に設けられている。表示部群６，７は手指操作部群４，５の手指操作部４ａ，５ａと表裏に相対応して配置された多数（複数）の操作キー等の表示部６ａ，７ａを有する。この各表示部６ａ，７ａは手指操作部４ａ，５ａを操作したときに、対応する表示部６ａ，７ａが発光等により表示するようになっている。各表示部群６，７の左右幅は、その一部が装着部３の裏側と重合する手指操作部群４，５の左右幅に比較して狭くなっている。
【００２３】
各親指操作部群８，９にはシフトキー、変換キーその他の機能操作部８ａ，９ａが複数個配置されている。機能操作部８ａ，９ａは入力ディバイス本体２の左右両側の下隅近傍を中心とする略円弧状に配列されている。なお、機能操作部８ａ，９ａは入力ディバイス本体２の表側に表示部群６，７の下側に縦横に配列するか、入力ディバイス本体２の上端面に配置する等、他の適宜位置に配列で設けてもよい。
【００２４】
入力ディバイス本体２内には、手指操作部４ａ，５ａの操作によりコネクタ２０，２１を介して携帯端末１に情報を入力するに必要な電子回路、手指操作部４ａ，５ａの操作により表示部６ａ，７ａを発光させるに必要な電子回路等が組み込まれていることは云うまでもない。
【００２５】
この携帯型入力ディバイスは、入力ディバイス本体２の装着部３に携帯端末１を装着して使用する。携帯端末１を入力ディバイス本体２の装着部３に装着するに当たっては、携帯端末１のコネクタ２１を装着部３のコネクタ２０側に向けた状態で装着部３の底壁１８に沿って携帯端末１を移動させながら、携帯端末１を装着部３内に嵌め込んで行く。これによって携帯端末１を入力ディバイス本体２に装着すると同時に、コネクタ２０，２１同士を接続することができる。携帯端末１を取り外す場合には、装着部３内の携帯端末１を逆方向に移動させれば、携帯端末１を取り外すと同時に、コネクタ２０，２１同士の接続を解除することができる。このため携帯端末１を入力ディバイス本体２に着脱する際の取り扱いを従来に比較して容易にできる利点がある。
【００２６】
また入力ディバイス本体２の装着部３は携帯端末１を下側から受ける構造であり、装着部３の底壁１８等で入力ディバイス本体２の左右両側を連結しているので、左右のキーボード部をコネクタ支持部が連結する構成の従来の入力ディバイスに比較して構造的に非常に簡単であり、容易且つ安価に製作できると共に、取り扱い時の損傷等が少なくなり耐久性が向上する利点がある。特に装着部３を有する主体部１０と、その左右両側の操作・表示ボード部１２，１３とを一体に構成した場合には、入力ディバイス本体２の構成を簡素化できる。
【００２７】
携帯端末１に文字情報等を入力する場合には、図６に示すように、左右の両手の掌を入力ディバイス本体２の両側に当てた状態で入力ディバイス本体２を保持し、左右の手指、特に人指し指から小指の４本の指を動かしながら、その手指により入力ディバイス本体２の裏側の手指操作部群４，５の手指操作部４ａ，５ａを操作して順次情報を入力する。携帯端末１に入力された文字情報等はその表示面１ａに表示されるので、表示面１ａの表示情報を見ながら入力できる。
【００２８】
このように手指操作部群４，５を入力ディバイス本体２の裏側に配置しておけば、入力ディバイス本体２を左右の掌で挟んだ状態で、左右両手の４本の手指によりその手指操作部４ａ，５ａを操作しながら入力できるため、入力ディバイス本体２を手で持った状態での入力であるにも拘わらず、入力速度の高速化を容易に図ることができる。
【００２９】
また手指操作部群４，５の手指操作部４ａ，５ａに手指が接触し、又は手指で手指操作部４ａ，５ａを押圧すると、その手指操作部４ａ，５ａに対応する表示部群６，７の表示部６ａ，７ａが発光して操作箇所を表示するため、多数の手指操作部４ａ，５ａを含む手指操作部群４，５が入力ディバイス本体２の裏側にあるにも拘わらず、操作箇所の手指操作部４ａ，５ａの確認が容易であり、手指操作部群４，５の手指操作部４ａ，５ａの操作性も向上する利点がある。
【００３０】
入力ディバイス本体２の表側に携帯端末１用の装着部３があり、その裏側の左右両側に手指操作部群４，５があるため、装着部３及び手指操作部群４，５が同じ表側にある場合に比較して、手指操作部群４，５の左右幅の確保が容易である。従って、手指操作部群４，５に縦横に多数の手指操作部４ａ，５ａがあるにも拘わらず、その手指操作部４ａ，５ａ間の左右方向の間隔を容易に確保できる。
【００３１】
特に手指操作部群４，５の一部を装着部３の左右両側に重合させることによって、入力ディバイス本体２の左右幅を小さく抑えながらも、手指操作部群４，５の左右幅を十分に確保できるので、手指操作部４ａ，５ａ間の左右方向の間隔を十分大にでき、手指操作部４ａ，５ａの操作性が更に向上する。
【００３２】
図７は本発明の第２の実施形態を例示する。この携帯型入力ディバイスは、入力ディバイス本体２の表側の中央部に携帯端末１用の装着部３が、その左右両側に左右幅の狭い表示部群６，７が夫々設けられ、また裏側には左右の手指操作部群４，５が設けられている。
【００３３】
左右の手指操作部群４，５は装着部３の裏側から左右両側に突出する１個のスイッチパネル２２により構成され、その左半分が左の手指操作部群４，５となり、右半分が右の手指操作部群４，５となっている。スイッチパネル２２は入力ディバイス本体２の凹部１２ａ内の開口と対向して内側から装着されている。なお、スイッチパネル２２は手指操作部群４，５毎に左右に２個設けてもよい。他の構成は第１の実施形態と同様である。
【００３４】
このように装着部３の裏側から左右両側にわたって手指操作部４ａ，５ａを設けてもよい。この場合には、左右の手指操作部群４，５間の間隔が小さくなるため、入力ディバイス本体２の左右幅に対して手指操作部群４，５の左右幅を相対的に大きく取ることが可能である。
【００３５】
従って、入力ディバイス本体２の左右幅を小さくできる。なお、表示部群６，７の左右幅が狭くなるが、その表示部６ａ，７ａで手指操作部４ａ，５ａの操作を確認できればよいので、使用する上でその表示部群６，７の左右幅が大きな障害となることはない。
【００３６】
図８は本発明の第３の実施形態を例示する。この携帯型入力ディバイスは、入力ディバイス本体２の表側の装着部３に、下壁１９と対向して上壁２３が設けられており、携帯端末１を装着する際に、携帯端末１のコネクタ２１を装着部３のコネクタ２０に合わせながら、携帯端末１を表側から装着部３に嵌め込むように構成されている。装着部３の深さは携帯端末１の厚さよりも小であり、装着部３に装着したときに携帯端末１が入力ディバイス本体２の表側に突出している。他の構成は第１の実施形態と同様である。
【００３７】
入力ディバイス本体２に装着部３を設けるに当たっては、このように上下両側を閉鎖してもよい。また装着部３内の携帯端末１が入力ディバイス本体２の表側に突出するように構成すれば、その突出部分を掴んで携帯端末１を取り外すことができる。このため装着部３の上下両側を閉鎖しても、携帯端末１の着脱を容易にできる。
【００３８】
図９、図１０は本発明の第４の実施形態を例示する。この携帯型入力ディバイスでは、入力ディバイス本体２の表側は略平坦状であり、この入力ディバイス本体２の表側の上部側に携帯端末１を左右方向に向けた状態で装着するための装着部３が設けられ、その左右両側に表示部群６，７が配置され、また装着部３の下側に左右方向に所定間隔をおいて多数の機能操作部８ａ，９ａが配置されている。
【００３９】
装着部３の左右一端側にはコネクタ２０を有する突出部２４が設けられ、他端側と下側には携帯端末１の位置決め突部２５，２６が設けられている。入力ディバイス本体２の裏側には、手指操作部群４，５が左右に配置されている。なお、携帯端末１を横長状に配置した場合には、その表示画面１ａに表示される文字の方向はそれに応じて変化する。他の構成は第１の実施形態と同様である。
【００４０】
このように入力ディバイス本体２の装着部３に携帯端末１を左右方向に向けて、表側から着脱自在に装着してもよい。また装着部３はその周囲にコネクタ２０を有する突出部２４と位置決め突部２５，２６とを設ける程度でもよい。なお、装着部３の携帯端末１を磁石により入力ディバイス本体２に着脱自在に固定してもよい。
【００４１】
図１１〜図１４は本発明の第５の実施形態を例示する。この入力ディバイス本体２は、携帯端末１用の装着部３を有する主体部１０と、この主体部１０の左右両側に設けられ且つ手指操作部群４，５及び表示部群６，７を表裏に有する操作・表示ボード部１２，１３とに分割されており、操作・表示ボード部１２，１３は主体部１０の裏側に収納できるように折り畳み可能に枢着されている。
【００４２】
主体部１０は側壁１６、底壁１８、及びコネクタ２０を有する下壁１９等を備える他、裏側の左右両端部に配置された上下方向の枢軸２７，２８により各操作・表示ボード部１２，１３が折り畳み自在に枢着されている。枢軸２７，２８は主体部１０の上下両端部の枢支部２７ａ，２８ａと、この枢支部２７ａ，２８ａ間に配置された操作・表示ボード部１２，１３の基部とに挿通されており、操作・表示ボード部１２，１３は主体部１０の裏面に沿う収容状態（図１３の二点鎖線参照）と、枢軸２７，２８から外側に突出する突出状態（図１３の実線参照）との間で回動自在になっている。
【００４３】
操作・表示ボード部１２，１３は左右の枢軸２７，２８間の半分未満の左右幅であり、突出状態では主体部１０の裏面に当接すると共に、図外の適宜位置決め手段により位置決めされている。操作・表示ボード部１２，１３には突出状態での表側に表示部群６，７が、裏側に手指操作部群４，５が夫々設けられている。また操作・表示ボード部１２，１３の遊端側には、収納状態の各操作・表示ボード部１２，１３を枢軸２７，２８廻りに回動させるための指掛け部１２ｂ，１３ｂが設けられている。なお、各操作・表示ボード部１２，１３の指掛け部１２ｂ，１３ｂは上下方向の異なる位置に配置されている。他の構成は第１の実施形態と同様である。
【００４４】
このような構成の入力ディバイス本体２では、装着部３を有する主体部１０の裏側に操作・表示ボード部１２，１３が収納可能であるため、収納時点での左右幅を小さくできる。また操作・表示ボード部１２，１３を突出状態にすれば、第１の実施形態と同様に、入力ディバイス本体２を左右の手で挟んで把持しながら、その手指操作部群４，５の手指操作部４ａ，５ａを操作することができる。
【００４５】
図１５は本発明の第６の実施形態を例示する。この携帯型入力ディバイスでは、操作・表示ボード部１２，１３はその遊端側が表裏方向に薄くなるテーパー状に構成され、収納状態のときに各操作・表示ボード部１２，１３の遊端側が重合するようになっている。他の構成は第１、第５の実施形態と同様である。
【００４６】
このように操作・表示ボード部１２，１３の遊端側を重合させて収納すれば、操作・表示ボード部１２，１３の左右幅を広くできるため、手指操作部群４，５、表示部群６，７の左右幅を広くすることができる。
【００４７】
図１６は本発明の第７の実施形態を例示する。この携帯型入力ディバイスでは、主体部１０の左右両側の枢軸２７，２８を表裏方向に偏位させて配置すると共に、この各枢軸２７，２８を各操作・表示ボード部１２，１３に対して異なる偏心位置に配置して、主体部１０の裏側に収納した収納状態のときに両操作・表示ボード部１２，１３が重合し、左右両側に突出したときに各操作・表示ボード部１２，１３が略同一高さとなるようにしている。
【００４８】
操作・表示ボード部１２，１３の表裏は略平行であり、主体部１０の裏側に収納したときに一方の操作・表示ボード部１２が主体部１０の裏側に当接し、その裏側に他方の操作・表示ボード部１３が当接している。他の構成は第１、第５の実施形態と同様である。
【００４９】
このようにすれば各操作・表示ボード部１２，１３の厚さを略一定にすることができ、特に遊端側の厚さの確保が容易になるため、左右の掌を当てた状態で入力ディバイス本体２を容易に把持できる。また操作・表示ボード部１２，１３の先端よりも低い位置に枢軸２７，２８があるため、左右両側から入力ディバイス本体２を挟んだときに、操作・表示ボード部１２，１３が不測に枢軸２７，２８廻りに折り畳み方向に回動するようなこともなく、操作・表示ボード部１２，１３を突出させた状態での安定性が向上する。
【００５０】
図１７、図１８は本発明の第８の実施形態を例示する。この入力ディバイス本体２は、携帯端末１用の装着部３を有する主体部１０と、手指操作部群４，５、表示部群６，７を有する操作・表示ボード部１２，１３とが表裏逆向きに屈曲して一体に設けられており、携帯端末１の左右両側に間隔をおいて手指操作部群４，５、表示部群６，７が設けられている。他の構成は第１の実施形態と同様である。
【００５１】
このように入力ディバイス本体２は、携帯端末１、手指操作部群４，５及び表示部群６，７を配置できる構成であればよく、極力単純化することも可能である。
【００５２】
図１９〜図２１は本発明の第９の実施形態を例示する。この入力ディバイス本体２は、携帯端末１用の装着部３を有する主体部１０と、手指操作部群４，５、表示部群６，７を有する操作・表示ボード部１２，１３とを一体に備え、その主体部１０の装着部３に対して上側から着脱自在に携帯端末１を挿入するようになっている。
【００５３】
装着部３は上側に挿脱口３０を有し、この挿脱口３０から携帯端末１を挿脱自在に挿入するようになっている。また装着部３の表側には、外周に窓枠３１が一体に形成され、その窓枠３１の内側が携帯端末１の表示面１ａに対応する表示窓３２となっている。なお、装着部３の挿脱口３０側の側壁１６等には切り欠き部３３が設けられ、装着部３内の携帯端末１を取り出す際に、この切り欠き部３３で携帯端末１を指により挟むようになっている。他の構成は第１の実施形態と同様である。
【００５４】
このように装着部３をケース状にして、その装着部３に携帯端末１を挿脱自在に挿入するようにしてもよい。この場合にも装着部３を介して左右の操作・表示ボード部１２，１３を一体に連結することができる。
【００５５】
なお、切り欠き部３３は図１９に二点鎖線で示すように主体部１０の挿脱口３０側の表裏両側に設けてもよい。また窓枠３１の挿脱口３０に対応する部分は省略してもよい。
【００５６】
図２２は本発明の第１０の実施形態を例示する。この携帯型入力ディバイスでは、入力ディバイス本体２は縦長矩形状であり、この入力ディバイス本体２の表側には、携帯端末１が横長状に装着する装着部３が上側に、その下側に左右の表示部群６，７が夫々設けられている。入力ディバイス本体２の裏面には、左右の手指操作部群４，５が設けられている。他の構成は各実施形態と同様である。
【００５７】
このように入力ディバイス本体２の裏側の手指操作部群４，５は、装着部３の携帯端末１の左右両側以外の位置に配置することも可能である。従って、入力ディバイス本体２の裏側の手指操作部群４，５は、入力ディバイス本体２を左右の掌で挟んだ状態でその手指により操作可能な位置関係であれば、任意の位置に配置することが可能である。
【００５８】
以上、本発明の各実施形態について詳述したが、本発明はこの各実施形態に限定されるものではなく、本発明の趣旨を逸脱しない範囲で種々の変更が可能である。例えば、手指操作部群４，５の手指操作部４ａ，５ａの配列は、ＱＷＥＲＴＺ配列等、ＱＷＥＲＴＹ配列以外のものでもよい。また手指操作部４ａ，５ａは、それに対応する電子信号を出力できるものであればよく、特定のスイッチの構造、形式に限定されるものではない。
【００５９】
また入力ディバイス本体２の裏側には、文字情報等を入力するための手指操作部４ａ，５ａを有する手指操作部群４，５があれば十分であり、その他の各種の機能操作部８ａ，９ａは入力ディバイス本体２の表側、左右両側の側面、上側の上面等に適宜設けてもよい。
【００６０】
各実施形態では、入力ディバイス本体２の裏側に凹部１２ａ，１３ａを設け、その凹部１２ａ，１３ａ内に、入力ディバイス本体２の裏面から突出しないように手指操作部群４，５を設けているが、凹部１２ａ，１３ａに代えて突条、リブその他の突部を設けてもよい。その場合、入力ディバイス本体２の裏面の周縁部に連続又は間欠的に突部を設けてもよいし、手指操作部群４，５を取り囲むようにその外周部に連続又は間欠的に突部を設けてもよい。
【００６１】
更に表示部群６，７の表示部６ａ，７ａは液晶等による発光式が一般的であるが、その他のものを採用してもよい。また表示部群６，７は省略してもよい。入力ディバイス本体２の装着部３は携帯端末１が着脱自在に装着できるものであればよい。
【００６２】
操作・表示ボード部１２，１３を主体部１０の裏側に収納可能に設けに当たっては、実施形態に例示のように操作・表示ボード部１２，１３を主体部１０に対して枢軸２７，２８廻りに折り畳み可能に設ける他、操作・表示ボード部１２，１３を主体部１０に対して左右方向に摺動自在に設けてもよい。その場合、一方の操作・表示ボード部１２，１３を主体部１０に対して出し入れ方向に操作すれば、他方の操作・表示ボード部１２，１３が主体部１０に対して出入りするように、左右の操作・表示ボード部１２，１３を連動させる連動機構を組み込んでもよい。
【符号の説明】
【００６３】
１  携帯端末
２  入力ディバイス本体
３  装着部
４，５  手指操作部群
４ａ，５ａ  手指操作部
６，７  表示部群
６ａ，７ａ  表示部
１０  主体部
１２，１３  操作・表示ボード部
【図１】
2013235368.tif 000003
【図２】
2013235368.tif 000004
【図３】
2013235368.tif 000005
【図４】
2013235368.tif 000006
【図５】
2013235368.tif 000007
【図６】
2013235368.tif 000008
【図７】
2013235368.tif 000009
【図８】
2013235368.tif 000010
【図９】
2013235368.tif 000011
【図１０】
2013235368.tif 000012
【図１１】
2013235368.tif 000013
【図１２】
2013235368.tif 000014
【図１３】
2013235368.tif 000015
【図１４】
2013235368.tif 000016
【図１５】
2013235368.tif 000017
【図１６】
2013235368.tif 000018
【図１７】
2013235368.tif 000019
【図１８】
2013235368.tif 000020
【図１９】
2013235368.tif 000021
【図２０】
2013235368.tif 000022
【図２１】
2013235368.tif 000023
【図２２】
2013235368.tif 000024